(57)【要約】【課題】ヒートシンクを地面に向けて置いた場合でも、ヒートシンクの変形を防止する電子機器を提供する。【解決手段】電子機器は、筐体と、該筐体の外面に配置されたヒートシンクと、前記外面に配置されており、前記外面に交差する方向にて、前記ヒートシンクよりも長い寸法を有し、前記ヒートシンクを保護する保護部とを備える。好ましくは、保護部は、第１保護部及び第２保護部を有し、前記第１保護部及び第２保護部は、前記ヒートシンクを挟んで前記ヒートシンクの両側に、それぞれ配置されている。【選択図】図１
2019197782.tif 000002
【特許請求の範囲】
【請求項１】
筐体と、
該筐体の外面に配置されたヒートシンクと、
前記外面に配置されており、前記外面に交差する方向にて、前記ヒートシンクよりも長い寸法を有し、前記ヒートシンクを保護する保護部と
を備える電子機器。
【請求項２】
前記保護部は、第１保護部及び第２保護部を有し、
前記第１保護部及び第２保護部は、前記ヒートシンクを挟んで前記ヒートシンクの両側に、それぞれ配置されている
請求項１に記載の電子機器。
【請求項３】
被取付部に取り付けるための取付部材を備え、
前記保護部は、前記取付部材に係合する係合部を有する
請求項１又は２に記載の電子機器。
【請求項４】
前記保護部は、前記筐体の外面から、前記外面に交差する方向に突出した板状をなし、
前記保護部の一面に凹部が形成されており、
前記係合部は前記凹部を含み、
前記取付部材は、前記凹部に係合する被係合部を有する
請求項３に記載の電子機器。
【請求項５】
前記取付部材は、前記筐体の底部を支持する支持部を有する
請求項３又は４に記載の電子機器。
【請求項６】
前記支持部と前記筐体の底部とを連結する連結部材を備え、
前記連結部材は前記筐体の底部に倣った形状を有する
請求項５に記載の電子機器。
【請求項７】
前記取付部材は、一面が開口した箱形をなし、
前記保護部は、前記取付部材の内面に沿う案内面を有する
請求項３から６のいずれか一つに記載の電子機器。
【発明の詳細な説明】
【技術分野】
【０００１】
本技術は、電子機器に関する。
【背景技術】
【０００２】
従来、ＰＣＳ(Power Conditioning System)と、該ＰＣＳに接続された蓄電池または燃料電池等の電源装置とを備える電力供給システムが開示されている（例えば特許文献１参照）。ＰＣＳは筐体と、筐体の外面に配置されたヒートシンクとを備える。筐体内の熱は、ヒートシンクを介して外部に放出される。ヒートシンクは、例えば多数のフィンを有する。筐体には、電子基板及び電子部品が収納されている。例えば、筐体の前面に蓋が設けられ、ヒートシンクは、筐体の後面に配置されることが多い。
【先行技術文献】
【特許文献】
【０００３】
【特許文献１】特開２０１６−６３７２２号公報
【発明の概要】
【発明が解決しようとする課題】
【０００４】
電子機器の設置工事では、設置の準備のために、電子機器を設置場所の付近の地面に予め置いておく場合がある。この場合、蓋を地面に向けると、蓋が汚れ、外観意匠性が悪化するので、ヒートシンクを地面に向けて、電子機器を地面に置く。しかし、ヒートシンクを地面に向けて置いた場合、ヒートシンクのフィンが変形するおそれがある。
【０００５】
本開示は斯かる事情に鑑みてなされたものであり、ヒートシンクを地面に向けて置いた場合でも、ヒートシンクの変形を防止する電子機器を提供することを目的とする。
【課題を解決するための手段】
【０００６】
本開示に係る電子機器は、筐体と、該筐体の外面に配置されたヒートシンクと、前記外面に配置されており、前記外面に交差する方向にて、前記ヒートシンクよりも長い寸法を有し、前記ヒートシンクを保護する保護部とを備える。
【発明の効果】
【０００７】
本開示に係る電子機器にあっては、ヒートシンクを地面に向けて地上に置いても、ヒートシンクが地面に接触することを防止し、ヒートシンクの変形を抑制することができる。
【図面の簡単な説明】
【０００８】
【図１】後側且つ右斜め上から視認した筐体及びヒートシンクを示す斜視図である。
【図２】後側且つ左斜め上から視認した筐体及びヒートシンクを示す斜視図である。
【図３】筐体及びヒートシンクを示す背面図である。
【図４】筐体及びヒートシンクを示す平面図である
【図５】連結部材の拡大斜視図である。
【図６】地面に置いた電子機器を示す図である。
【図７】取付部材を前側且つ上側から視認した斜視図である。
【図８】取付部材を前側且つ下側から視認した斜視図である。
【図９】図８に示すＩＸ線で囲った部分の部分拡大斜視図である。
【図１０】取付部材の正面図である。
【図１１】図１０に示すＸＩ−ＸＩ線を切断線とした断面図である。
【図１２】筐体の壁への取付方法を説明する説明図である。
【図１３】筐体の壁への取付方法を説明する説明図である。
【図１４】筐体の壁への取付方法を説明する説明図である。
【図１５】筐体の壁への取付方法を説明する説明図である。
【図１６】家の壁に取り付けた電子機器の一例を示す模式図である。
【図１７】配電盤に設置した電子機器の一例を示す模式図である。
【発明を実施するための形態】
【０００９】
［本発明の実施形態の説明］
最初に本願発明の実施態様を列記して説明する。
本発明に係る電子機器は、筐体と、該筐体の外面に配置されたヒートシンクと、前記外面に配置されており、前記外面に交差する方向にて、前記ヒートシンクよりも長い寸法を有し、前記ヒートシンクを保護する保護部とを備える。
【００１０】
筐体の外面に、ヒートシンク及びヒートシンクを保護する保護部を配置する。前記外面に交差する方向において、保護部はヒートシンクよりも長いので、ヒートシンクを地面に向けて電子機器を地上に置いても、ヒートシンクは地面に接触しない。
【００１１】
好ましくは、前記保護部は、第１保護部及び第２保護部を有し、前記第１保護部及び第２保護部は、前記ヒートシンクを挟んで前記ヒートシンクの両側に、それぞれ配置されている。
【００１２】
第１保護部及び第２保護部をヒートシンクの両側に配置することによって、電子機器を地上に置いた場合、第１保護部及び第２保護部が電子機器を支持し、電子機器を安定に置くことができる。
【００１３】
好ましくは、電子機器は、被取付部に取り付けるための取付部材を備え、前記保護部は、前記取付部材に係合する係合部を有する。
【００１４】
被取付部、例えば壁に取り付けるための取付部材を備える。保護部を取付部材に係合させて、電子機器を壁に取り付けることができる。
【００１５】
好ましくは、前記保護部は、前記筐体の外面から、前記外面に交差する方向に突出した板状をなし、前記保護部の一面に凹部が形成されており、前記係合部は前記凹部を含み、前記取付部材は、前記凹部に係合する被係合部を有する。
【００１６】
板状をなす保護部の一面に凹部を形成する。取付部材には、被係合部を設ける。凹部の側面に、被係合部を係合させて、電子機器を壁に取り付けることができる。
【００１７】
好ましくは、前記取付部材は、前記筐体の底部を支持する支持部を有する。
【００１８】
支持部は、筐体の底部を支持し、電子機器の荷重を受ける。
【００１９】
好ましくは、電子機器は、前記支持部と前記筐体の底部とを連結する連結部材を備え、前記連結部材は前記筐体の底部に倣った形状を有する。
【００２０】
連結部材が筐体の底部に接触し易くなり、連結部材を介して、筐体の荷重が支持部に作用し易くなる。支持部は電子機器を安定に支持することができる。
【００２１】
好ましくは、前記取付部材は、一面が開口した箱形をなし、前記保護部は、前記取付部材の内面に沿う案内面を有する。
【００２２】
保護部の案内面は、取付部材の内面に沿って案内され、筐体を取付部材に円滑に取り付けることができる。
［本発明の実施形態の詳細］
【００２３】
以下本発明の実施形態に係る電子機器を図面に基づいて説明する。以下の説明では、図に示す上下前後左右を使用する。図１は、後側且つ右斜め上から視認した筐体１及びヒートシンク２を示す斜視図、図２は、後側且つ左斜め上から視認した筐体１及びヒートシンク２を示す斜視図、図３は、筐体１及びヒートシンク２を示す背面図、図４は、筐体１及びヒートシンク２を示す平面図である。
【００２４】
電子機器は、例えばＰＣＳであり、筐体１と、ヒートシンク２と、第１保護部４と、第２保護部５とを備える。筐体１は直方体状をなし、左右方向に延びる。筐体１の前面は開口し、前面の開口に蓋１ａが設けられている。筐体１の後面１ｂに複数（本実施例では３個）のヒートシンク２が配置されている。なおヒートシンク２は１個でもよい。
【００２５】
ヒートシンク２は、筐体１の後面１ｂに直角な複数のフィン２ａを備える。フィン２ａは上下方向に延びる。複数のフィン２ａは左右方向に並ぶ。三つのヒートシンク２の全体は、前記後面１ｂにて、左側に偏倚し、最も左側に位置するヒートシンク２は、前記後面１ｂの左縁部の近傍に配置されている。
【００２６】
図１に示すように、最も右側に配置されたヒートシンク２の右隣に、第１保護部４が配置されている。第１保護部４は、筐体１の後面１ｂに直角な矩形板状をなし、上下に延びる。第１保護部４の右面に、上下に延びた凹部４ａが形成されている。凹部４ａの後部分は開口している。
【００２７】
図２に示すように、最も左側に配置されたヒートシンク２の左隣に、第２保護部５が配置されている。第２保護部５は、筐体１の後面１ｂに直角な矩形板状をなし、上下に延びる。第２保護部５の左面に、上下に延びた凹部５ａが形成されている。凹部５ａの後部分は開口している。なお、第１保護部４及び第２保護部５の凹部４ａ、５ａは、後述する第１被係合部１８及び第２被係合部１９に係合する係合部を構成する。図１及び図２に示すように、第２保護部５の上面は第１案内面５ｂを形成し、第２保護部５の上端部の左面は第２案内面５ｃを形成する。また第１保護部４の上面は第３案内面４ｂを形成する。
【００２８】
図３に示すように、第１保護部４及び第２保護部５の上下寸法は、ヒートシンク２の上下寸法よりも長い。上下方向における第１保護部４及び第２保護部５の領域内に、全てのヒートシンク２は配置されている。
【００２９】
図４に示すように、第１保護部４及び第２保護部５の前後寸法は、ヒートシンク２の前後寸法よりも長い。前後方向における第１保護部４及び第２保護部５の領域内に、全てのヒートシンク２は配置されている。
【００３０】
前記後面１ｂの左右両端部に２個のねじ孔１ｄが形成されている。２個のねじ孔１ｄは、ヒートシンク２、第１保護部４及び第２保護部５よりも下側に配置されており、後面１ｂの下縁部に近接している。電子機器は、筐体１と、後述する取付部材９とを連結する２個の連結部材６を備える。
【００３１】
図５は、連結部材６の拡大斜視図である。連結部材６は、クランク形の板状に形成されている。連結部材６は、第１板６ａと、第２板６ｂと、連結板６ｃとを備える。第１板６ａ及び第２板６ｂは、前記後面１ｂに略平行な矩形状をなす。第２板６ｂは第１板６ａよりも上側且つ後側に配置されている。第１板６ａの上縁部と、第２板６ｂの下縁部とは、第１板６ａ及び第２板６ｂに直角な連結板６ｃを介して連結されている。第１板６ａには、前後に貫通した第１貫通孔６ｄが形成され、第２板６ｂには、前後に貫通した第２貫通孔６ｅが形成されている。
【００３２】
第２板６ｂ及び連結板６ｃによって、側面視Ｌ形部分が形成されている。このＬ形部分は、筐体１の後面１ｂ及び下面１ｃの連結部分に倣う形状である。筐体１の後面１ｂに第２板６ｂを対向させ、筐体１の下面１ｃに連結板６ｃを対向させて、連結部材６は配置される。後方から第２貫通孔６ｅにねじ７が挿入されて、ねじ孔１ｄに締結され、筐体１に連結部材６が固定される。連結板６ｃ及び第１板６ａは前記下面１ｃの下側に配置される。なお連結部材６の形状を、筐体１の底部に倣う形状以外の形状にしてもよい。例えば、連結板６ｃを設けることなく、第１板６ａ及び第２板６ｂを同一平面上に形成してもよい。
【００３３】
図６は、地面５０に置いた電子機器を示す図である。なお筐体１には、連結部材６は固定されていない。電子機器はヒートシンク２を地面５０に向けて置かれる。前述したように、第１保護部４及び第２保護部５の前後寸法は、ヒートシンク２の前後寸法よりも長い。第１保護部４及び第２保護部５が地面５０に接触し、ヒートシンク２は地面５０に接触しないので、ヒートシンク２の変形を防止することができる。
【００３４】
薄いフィン２ａの強度は小さい。しかし、第１保護部４及び第２保護部５を設けることによって、フィン２ａの変形を防止することができる。故に、多数の薄いフィン２ａをヒートシンク２に形成して、フィン２ａの密度を高くし、ヒートシンク２の放熱効率を向上させることができる。放熱効率向上の為に、ヒートシンク２を大型化させる必要がなくなり、ヒートシンク２の小型化及び軽量化を促進させることができ、電子機器を壁掛け可能な寸法及び重量にすることができる。
【００３５】
図７は、取付部材９を前側且つ上側から視認した斜視図、図８は、取付部材９を前側且つ下側から視認した斜視図、図９は、図８に示すＩＸ線で囲った部分の部分拡大斜視図、図１０は、取付部材９の正面図、図１１は、図１０に示すＸＩ−ＸＩ線を切断線とした断面図である。
【００３６】
取付部材９は、ヒートシンク２を収納する収納箱１０と、該収納箱１０に連なり、前記連結部材６を固定する固定部２０とを備える。収納箱１０は、偏平な直方体状をなし、左右方向に延びる。収納箱１０の前後幅は、左右幅及び上下幅に比べて短い。収納箱１０は前後方向に薄い。収納箱１０の前面全体に開口１０ａが形成されている。開口１０ａの上縁部は下向きに突出した第１突出部分１１を有する。開口１０ａの右縁部は左向きに突出し、突出端が後ろ向きに突出した断面Ｌ形の第２突出部分１２を有する。開口１０ａの左縁部は右向きに突出し、突出端が後ろ向きに突出した断面Ｌ形の第３突出部分１３を有する。
【００３７】
図７に示すように、収納箱１０の上面全体に、上下に貫通した複数の通気孔１４が形成されている。通気孔１４は前後方向に延びた長孔状をなす。複数の通気孔１４は左右方向に並ぶ。収納箱１０の下面全体に、上下に貫通した複数の通気孔１５が形成されている。通気孔１５は前後方向に延びた長孔状をなす。複数の通気孔１５は左右方向に並ぶ。
【００３８】
図７、図８及び図１０に示すように、収納箱１０の後面に複数（本実施例では４個）の突条１６が形成されている。突条１６は上下方向に延び、例えば、前記後面のプレス成形によって形成される。最も左側の突条１６は、収納箱１０の左側面に隣接している。最も右側の突条１６の上端部前側に、前記凹部４ａが係合する第１被係合部１８が形成されている。
【００３９】
図９に示すように、第１被係合部１８は突条１６の前側部分を切り起こして形成されている。突条１６の前側部分には、上下に延びた矩形の切り起こし孔１６ａが形成されている。第１被係合部１８は、切り起こし孔１６ａの下縁から前方に僅かに突出して、上方に延びた矩形のベース板１８ａと、該ベース板１８ａの上端から前方に突出した突出板１８ｂとを備える。最も左側の突条１６の上端部前側に、前記凹部５ａが係合する第２被係合部１９が形成されている。第２被係合部１９も、第１被係合部１８と同様に、ベース板及び突出板を備える。
【００４０】
図７、図８及び図１０に示すように、収納箱１０の後面において、突条１６の間、及び突条１６と収納箱１０の右側面との間に、ねじ（図示略）を挿入する複数の挿入孔１７が形成されている。取付部材９を、被取付部、例えば壁に取り付ける場合、挿入孔１７にねじを挿入し、壁に締結して、収納箱１０を壁に固定する。
【００４１】
図７、図８及び図１１に示すように、固定部２０は、第１板２１と、第２板２２と、第３板２３とを備える。第１板２１は左右に延びた矩形をなし、収納箱１０の下面の前縁部分から下方に突出している。第１板２１の左右両端部に、前後に貫通した貫通孔２１ａが形成されている。図１１に示すように、第１板２１の後面に２個のナット２１ｂが固定されている。２個のナット２１ｂは、２個の貫通孔２１ａの後側に配置されている。２個のナット２１ｂ及び２個の貫通孔２１ａは、それぞれ同軸的に配置されている。
【００４２】
第２板２２は左右に延びた矩形をなし、第１板２１の下縁部から後方に突出している。第２板２２は、収納箱１０の下面に対向する。第２板２２の全体に、上下に貫通した複数の通気孔２２ａが形成されている。通気孔２２ａは前後方向に延びた長孔状をなす。複数の通気孔２２ａは左右方向に並ぶ。第３板２３は、第２板２２の後縁部から下方に突出している。第３板２３には、ねじ（図示略）を挿入する複数の挿入孔２３ａが形成されている。複数の挿入孔２３ａは左右方向に適宜の間隔を空けて並ぶ。取付部材９を、被取付部、例えば壁に取り付ける場合、挿入孔２３ａにねじを挿入し、壁に締結して、収納箱１０を壁に固定する。
【００４３】
図１２〜図１５は、筐体１の壁６０への取付方法を説明する説明図である。収納箱１０の後面の挿入孔１７及び第３板２３の挿入孔２３ａに、前側からねじを挿入し、取付部材９が壁６０に固定される。そして図１２及び図１３に示すように、取付部材９の前側に筐体１を配置する。このとき、第２保護部５の上端部の位置を、収納箱１０の左上隅部分に整合させる。
【００４４】
次に図１４に示すように、第２保護部５の第１案内面５ｂと、第１保護部４の第３案内面４ｂを第１突出部分１１に接触させ、第２保護部５の第２案内面５ｃを第３突出部分１３に接触させて、筐体１を案内しながら、第１保護部４及び第２保護部５が収容箱の後面に当接するまで、後方に移動させる。このとき、第１保護部４の凹部４ａの上面は、第１被係合部１８の上方に配置され、第２保護部５の凹部５ａの上面は、第２被係合部１９の上方に配置される。また連結部材６の連結板６ｃは、収容箱の下面の上側に配置され、連結部材６の第１板６ａは、固定部２０の第１板２１の上側且つ前側に配置される。
【００４５】
そして、筐体１を下方に移動させる。図１５に示すように、第１保護部４の凹部４ａの上面は、第１被係合部１８の突出板１８ｂに係合し、第２保護部５の凹部５ａの上面は第２被係合部１９の突出板に係合する。また連結部材６の連結板６ｃは収容箱の下面に接触し、筐体１の底部は収容箱の下面に支持される。なお収容箱の下面は支持部を構成する。
【００４６】
連結部材６の第１板６ａに形成した第１貫通孔６ｄ（図５参照）と、固定部２０の第１板２１に形成した貫通孔２１ａ（図７及び図８参照）とは同軸的に配置される。図１５に示すように、前側からねじ２５を第１貫通孔６ｄ及び貫通孔２１ａに挿入し、ナット２１ｂに締結させて、連結部材６を固定部２０に固定させる。
【００４７】
図１６は、家の壁６０に取り付けた電子機器の一例を示す模式図である。上述の方法によって、電子機器は家の壁６０に取り付けることができる。なお電子機器は、例えば太陽光パネル６１、配電盤６２、配線接続箱６３などに接続される。
【００４８】
図１７は、配電盤６２に設置した電子機器の一例を示す模式図である。電子機器は、壁６０に取り付けなくてもよい。例えば、図１７に示すように、地面に配置した配電盤６２に設けてもよい。この場合、取付部材９は使用せず、筐体１と配電盤６２とを連結部材によって連結させる。
【００４９】
実施の形態に係る電子機器にあっては、筐体１の後面１ｂに、ヒートシンク２及びヒートシンク２を保護する第１保護部４及び第２保護部５を配置する。前記後面１ｂに交差する方向、即ち前後方向において、第１保護部４及び第２保護部５はヒートシンク２よりも長いので、ヒートシンク２を地面５０に向けて地上に置いても、ヒートシンク２は地面５０に接触せず、ヒートシンク２の変形を抑制することができる。
【００５０】
また第１保護部４及び第２保護部５をヒートシンク２の両側に配置することによって、電子機器を地上に置いた場合、第１保護部４及び第２保護部５が電子機器を支持し、電子機器を安定に置くことができる。
【００５１】
また被取付部、例えば壁６０に取り付けるための取付部材９を備えるので、第１保護部４及び第２保護部５を取付部材９に係合させて、電子機器を壁６０に取り付けることができる。
【００５２】
また板状をなす第１保護部４及び第２保護部５それぞれの一面に凹部４ａ、５ａを形成する。取付部材９には、第１被係合部１８及び第２被係合部１９を設ける。凹部４ａ、５ａに、第１被係合部１８及び第２被係合部１９をそれぞれ係合させて、電子機器を壁に取り付けることができる。
【００５３】
また収容箱の底部は、筐体１の底部を支持し、電子機器の荷重を受ける。また連結部材６は筐体１の底部に倣った形状を有するので、連結部材６が筐体１の底部に接触し易くなり、連結部材６を介して、筐体１の荷重が収容箱の底部に作用し易くなる。収容箱の底部は電子機器を安定に支持することができる。
【００５４】
また第１案内面５ｂ〜第３案内面４ｂは、取付部材９の内面に沿って筐体１を案内するので、筐体１を取付部材９に円滑に取り付けることができる。
【００５５】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００５６】
１  筐体
２  ヒートシンク
４  第１保護部
４ａ  凹部（係合部）
４ｂ  第３案内面
５  第２保護部
５ａ  凹部（係合部）
５ｂ  第１案内面
５ｃ  第２案内面
６  連結部材
９  取付部材
１０  収納箱
６０  壁
【図１】
2019197782.tif 000003
【図２】
2019197782.tif 000004
【図３】
2019197782.tif 000005
【図４】
2019197782.tif 000006
【図５】
2019197782.tif 000007
【図６】
2019197782.tif 000008
【図７】
2019197782.tif 000009
【図８】
2019197782.tif 000010
【図９】
2019197782.tif 000011
【図１０】
2019197782.tif 000012
【図１１】
2019197782.tif 000013
【図１２】
2019197782.tif 000014
【図１３】
2019197782.tif 000015
【図１４】
2019197782.tif 000016
【図１５】
2019197782.tif 000017
【図１６】
2019197782.tif 000018
【図１７】
2019197782.tif 000019